(57)【要約】【課題】頁データ内に配置される仕上り線を形成することができる仕上り線画像作成装置を提供すること。【解決手段】頁データの縦と横の寸法を示す寸法情報と、頁データが被印刷物に配置される際の向きを示す配置向き情報と、塗り足し分の寸法を示す塗り足し寸法情報に基づいて、仕上り線の縦と横の寸法を算出し、当該算出された仕上り線の縦と横の寸法に基づいて仕上り線を表す仕上り線画像を作成する。【選択図】図９
2014172291.tif 000002
【特許請求の範囲】
【請求項１】
被印刷物に頁データを配置した際に前記頁データの塗り足し分だけ内側に配置される仕上り線を表す仕上り線画像を作成する仕上り線画像作成装置であって、
前記頁データの縦と横の寸法を示す寸法情報と、前記頁データが前記被印刷物に配置される際の向きを示す配置向き情報と、前記塗り足し分の寸法を示す塗り足し寸法情報に基づいて、前記仕上り線の縦と横の寸法を算出する仕上り線寸法算出手段と、
前記算出された仕上り線の縦と横の寸法に基づいて、前記仕上り線画像を作成する仕上り線画像作成手段と、
を備えることを特徴とする仕上り線画像作成装置。
【請求項２】
請求項１に記載の仕上り線画像作成装置であって、
前記仕上り線寸法算出手段は、前記配置向き情報の示す向きが９０°又は２７０°である場合には、前記頁データの縦の寸法から前記塗り足し分の寸法を減算することにより前記仕上り線の横の寸法を算出し、前記頁データの横の寸法から前記塗り足し分の寸法を減算することにより前記仕上り線の縦の寸法を算出することを特徴とする仕上り線画像作成装置。
【請求項３】
請求項１又は２に記載の仕上り線画像作成装置であって、
前記仕上り線寸法算出手段は、前記配置向き情報の示す向きが０°又は１８０°である場合には、前記頁データの縦の寸法から前記塗り足し分の寸法を減算することにより前記仕上り線の縦の寸法を算出し、前記頁データの横の寸法から前記塗り足し分の寸法を減算することにより前記仕上り線の横の寸法を算出することを特徴とする仕上り線画像作成装置。
【請求項４】
請求項１乃至３のいずれか一項に記載の仕上り線画像作成装置であって、
前記被印刷物における前記頁データの配置位置を示す位置情報と、前記塗り足し寸法情報に基づいて、前記被印刷物における仕上り線の配置位置を示す仕上り線位置情報を算出する仕上り線位置情報算出手段と、
を更に備えることを特徴とする仕上り線画像作成装置。
【請求項５】
被印刷物に頁データを配置した際に前記頁データの塗り足し分だけ内側に配置される仕上り線を表す仕上り線画像を作成する仕上り線画像作成装置による仕上り線画像作成方法であって、
前記頁データの縦と横の寸法を示す寸法情報と、前記頁データが前記被印刷物に配置される際の向きを示す配置向き情報と、前記塗り足し分の寸法を示す塗り足し寸法情報に基づいて、前記仕上り線の縦と横の寸法を算出する仕上り線寸法算出工程と、
前記算出された仕上り線の縦と横の寸法に基づいて、前記仕上り線画像を作成する仕上り線画像作成工程と、
を含むことを特徴とする仕上り線画像作成方法。
【請求項６】
被印刷物に頁データを配置した際に前記頁データの塗り足し分だけ内側に配置される仕上り線を表す仕上り線画像を作成する仕上り線画像作成装置に含まれるコンピュータを、
前記頁データの縦と横の寸法を示す寸法情報と、前記頁データが前記被印刷物に配置される際の向きを示す配置向き情報と、前記塗り足し分の寸法を示す塗り足し寸法情報に基づいて、前記仕上り線の縦と横の寸法を算出する仕上り線寸法算出手段、
前記算出された仕上り線の縦と横の寸法に基づいて、前記仕上り線画像を作成する仕上り線画像作成手段、
として機能させることを特徴とする仕上り線画像作成用プログラム。
【発明の詳細な説明】
【技術分野】
【０００１】
本発明は、印刷物における仕上り線を表す画像データを作成する技術分野に関する。
【背景技術】
【０００２】
印刷物の頁内の文字や絵柄について仕上げ断裁後に字切れや白が残るなどの不良を防ぐために、文字を仕上りの位置から内側に追い込んだり、絵柄を仕上りの位置より外まで伸ばしたりすることが行われている。このような不良を検査するために、図１に示すように、用紙Ｐにおける断裁位置に仕上り線Ｍを引いて頁データＤの位置や断裁後の状態を確認している。従来、仕上り線ＭはトンボマークＴを基準にして人手で引いているが、この作業が作業者の大きな負担となっている。
【０００３】
一方で、特許文献１には、印刷物の検査マークを印刷面上に生成する際に必要な配置、色等の情報を作成する技術が開示されている。当該技術では、検査マークのレイアウト仕様情報を参照して、配置、色を設定し、必要な検査マークを印刷面上に生成するための情報を生成している。
【先行技術文献】
【特許文献】
【０００４】
【特許文献１】特開２００３−１１８０６７号公報
【発明の概要】
【発明が解決しようとする課題】
【０００５】
しかしながら、特許文献１に記載の技術では、印刷物の余白（すなわち、頁データＤの外側）に配置する検査マークを対象としており、頁データＤ内に配置する検査マークを対象としていないため、頁データＤのレイアウト不良検査で必要となる仕上り線Ｍを配置することができないという問題がある。
【０００６】
本発明は、このような問題等に鑑みてなされたもので、頁データ内に配置される仕上り線を形成するための仕上り線画像作成装置等を提供することを課題とする。
【課題を解決するための手段】
【０００７】
上記課題を解決するために、請求項１に記載の発明は、被印刷物に頁データを配置した際に前記頁データの塗り足し分だけ内側に配置される仕上り線を表す仕上り線画像を作成する仕上り線画像作成装置であって、前記頁データの縦と横の寸法を示す寸法情報と、前記頁データが前記被印刷物に配置される際の向きを示す配置向き情報と、前記塗り足し分の寸法を示す塗り足し寸法情報に基づいて、前記仕上り線の縦と横の寸法を算出する仕上り線寸法算出手段と、前記算出された仕上り線の縦と横の寸法に基づいて、前記仕上り線画像を作成する仕上り線画像作成手段と、を備えることを特徴とする。
【０００８】
請求項２に記載の発明は、請求項１に記載の仕上り線画像作成装置であって、前記仕上り線寸法算出手段は、前記配置向き情報の示す向きが９０°又は２７０°である場合には、前記頁データの縦の寸法から前記塗り足し分の寸法を減算することにより前記仕上り線の横の寸法を算出し、前記頁データの横の寸法から前記塗り足し分の寸法を減算することにより前記仕上り線の縦の寸法を算出することを特徴とする。
【０００９】
請求項３に記載の発明は、請求項１又は２に記載の仕上り線画像作成装置であって、前記仕上り線寸法算出手段は、前記配置向き情報の示す向きが０°又は１８０°である場合には、前記頁データの縦の寸法から前記塗り足し分の寸法を減算することにより前記仕上り線の縦の寸法を算出し、前記頁データの横の寸法から前記塗り足し分の寸法を減算することにより前記仕上り線の横の寸法を算出することを特徴とする。
【００１０】
請求項４に記載の発明は、請求項１乃至３のいずれか一項に記載の仕上り線画像作成装置であって、前記被印刷物における前記頁データの配置位置を示す位置情報と、前記塗り足し寸法情報に基づいて、前記被印刷物における仕上り線の配置位置を示す仕上り線位置情報を算出する仕上り線位置情報算出手段と、を更に備えることを特徴とする。
【００１１】
請求項５に記載の発明は、被印刷物に頁データを配置した際に前記頁データの塗り足し分だけ内側に配置される仕上り線を表す仕上り線画像を作成する仕上り線画像作成装置による仕上り線画像作成方法であって、前記頁データの縦と横の寸法を示す寸法情報と、前記頁データが前記被印刷物に配置される際の向きを示す配置向き情報と、前記塗り足し分の寸法を示す塗り足し寸法情報に基づいて、前記仕上り線の縦と横の寸法を算出する仕上り線寸法算出工程と、前記算出された仕上り線の縦と横の寸法に基づいて、前記仕上り線画像を作成する仕上り線画像作成工程と、を含むことを特徴とする。
【００１２】
請求項６に記載の発明は、被印刷物に頁データを配置した際に前記頁データの塗り足し分だけ内側に配置される仕上り線を表す仕上り線画像を作成する仕上り線画像作成装置に含まれるコンピュータを、前記頁データの縦と横の寸法を示す寸法情報と、前記頁データが前記被印刷物に配置される際の向きを示す配置向き情報と、前記塗り足し分の寸法を示す塗り足し寸法情報に基づいて、前記仕上り線の縦と横の寸法を算出する仕上り線寸法算出手段、前記算出された仕上り線の縦と横の寸法に基づいて、前記仕上り線画像を作成する仕上り線画像作成手段、として機能させることを特徴とする。
【発明の効果】
【００１３】
本発明によれば、頁データの縦と横の寸法を示す寸法情報と、頁データが被印刷物に配置される際の向きを示す配置向き情報と、塗り足し分の寸法を示す塗り足し寸法情報に基づいて、仕上り線画像を作成することができる。また、仕上り線画像を、頁データを表す画像と適切に合成することにより頁データ内に配置される仕上り線を形成することができ、仕上り線を引くための作業者の作業負担を軽減することができる。
【図面の簡単な説明】
【００１４】
【図１】用紙Ｐにおける頁データＤと仕上り線Ｍの一例を示す図である。
【図２】面付けテンプレート作成システムＳの構成例を示すブロック図である。
【図３】面付け装置１の構成例を示すブロック図である。
【図４】用紙Ｐにおける頁データＤと仕上り線Ｍの一例を示す図である。
【図５】レイアウト仕様情報Ｌの内容の一例を示す図である。
【図６】仕上り線情報５１０の内容の一例を示す図である。
【図７】面付けテンプレート作成システムＳによる面付けテンプレート出力処理の一例を示すフローチャートである。
【図８】面付けテンプレート出力画面６００の画面例を示す図である。
【図９】面付け装置１の制御部１１による仕上り線作成処理の一例を示すフローチャートである。
【発明を実施するための形態】
【００１５】
以下、図面を用いて本発明の実施形態について説明する。なお、本実施形態は、面付けテンプレート作成システムＳにおける面付け装置１について本発明を適用した場合の実施形態である。
【００１６】
［１．面付けテンプレート作成システムＳの構成］
図２に示すように、面付けテンプレート作成システムＳは、面付け装置１（「仕上り線画像作成装置」の一例）と、作業者が使用する作業端末２と、ＲＩＰ（Raster image processor）装置３とを含んで構成され、それぞれがネットワークＮＷを介して接続されている。
【００１７】
面付け装置１は頁データＤの配置に関するレイアウト仕様情報Ｌを記憶する。面付け装置１は作業端末２を介して作業者により編集されたレイアウト仕様情報Ｌに基づいて、用紙Ｐに対して頁データＤを配置する。また、面付け装置１は、作業者により仕上り線描画オプションが選択された場合に、レイアウト仕様情報Ｌに基づいて、頁データＤ内の仕上り線Ｍを表す仕上り線画像ＭＰ及び仕上り線Ｍの配置位置を示す仕上り線位置情報５１１を作成する。
【００１８】
作業端末２は、作業者の操作に基づいて面付け装置１にアクセスして、面付け装置１に記憶されているレイアウト仕様情報Ｌを編集する。このとき、作業者は作業端末２の表示部に表示される面付け画面を確認しながらレイアウト仕様情報Ｌを編集する。このとき、作業端末２は、面付け装置１から面付け画面を表示するためのデータを受信して、当該データに基づいて面付け画面を表示する。また、作業端末２は頁データＤを記憶する。
【００１９】
ＲＩＰ装置３は、レイアウト仕様情報Ｌ、仕上り線画像ＭＰ及び仕上り線位置情報５１１を面付け装置１から取得する。また、ＲＩＰ装置３は頁データＤを作業端末２から取得する（頁データＤは面付け装置１を介して取得することとしてもよい）。ＲＩＰ装置３は、頁データＤをレイアウト仕様情報Ｌに基づいて配置するとともに、仕上り線画像ＭＰを仕上り線位置情報５１１に基づいて配置した面付けテンプレート（印刷イメージデータ）を作成する。面付けテンプレートに基づいて印刷機（図示しない）で印刷を行うと、用紙に頁データＤが配置されるとともに、仕上り線Ｍが引かれた印刷物が出力される。
【００２０】
［２．面付け装置１の構成］
次に、面付け装置１の構成について説明する。図３に示すように、面付け装置１は、制御部１１、記憶部１２、インターフェース部１３、表示部１４、及び操作部１５を備えている。
【００２１】
記憶部１２は、例えば、ＨＤＤ（Hard disk drive）等により構成されており、オペレーティングシステムや、アプリケーションプログラム等の各種プログラムを記憶する。特に、本実施形態の記憶部１２は、仕上り線画像作成機能を備えた面付け用アプリケーションプログラム（面付けアプリ）を記憶する。また、記憶部１２は、レイアウト仕様情報Ｌや、仕上り線情報５１０、仕上り線画像ＭＰ等を記憶する。なお、各種プログラムは、例えば、他のサーバ装置等からネットワークを介して取得されるようにしても良いし、記録媒体に記録されて外付けドライブ装置を介して読み込まれるようにしても良い。また、レイアウト仕様情報Ｌ等は作業端末２を介して作業者により編集される。
【００２２】
ここで、図４−図６を用いて、記憶部１２に記憶されるレイアウト仕様情報Ｌ、仕上り線情報５１０について説明する。図４は、仕上り線描画オプションが選択された場合における用紙Ｐに頁データＤを配置した様子を示す図である。図４では、１つの頁データＤのみを示しているが、用紙Ｐには複数の頁データＤを配置可能である。図４に示すように、仕上り線Ｍは、頁データＤにおける塗り足しＮの分だけ頁データＤの内側に形成される。つまり、塗り足しＮの寸法は、頁データＤのどれだけ内側を断裁位置（すなわち、仕上り線Ｍ）とするかを表している。
【００２３】
レイアウト仕様情報Ｌは、作業端末２を介して作業者により編集される情報である。図５に示すように、レイアウト仕様情報Ｌは、各頁データＤの頁データＩＤ５０１と、頁番号５０２と、用紙Ｐに対する位置（用紙Ｐを所定の向きに向けた場合の左下隅を基準（原点ＰＯ）とした場合のＸ座標、Ｙ座標により表される位置）を示す位置情報５０３と、縦（Ｙ成分）及び横（Ｘ成分）の寸法を表す寸法情報５０４と、配置向きを示す配置向き情報５０５と、塗り足しＮの寸法を示す塗り足し寸法情報５０６と、を含んで構成される。
【００２４】
配置向き情報５０５は、用紙Ｐに対して頁データＤをどの向きに配置するかを示す情報であり、「０°」、「９０°」、「１８０°」、「２７０°」のいずれかの角度を示す情報である。配置向きが「０°」である場合が基準となり、配置向きが「１８０°」である場合には頁データＤは用紙Ｐに対して逆さ（図１の右側に配置された頁データを参照）に配置される。また、配置向きが「９０°」又は「２７０°」である場合には頁データＤは用紙Ｐに対して横向きに配置される。頁データＤの位置合わせの基準は、頁データＤを用紙Ｐ上に配置向き情報５０５の示す向きに配置した場合における左下隅である。つまり、頁データＤは、位置合わせの基準が位置情報５０３の示す位置と一致するように配置される。
【００２５】
寸法情報５０４の示すＸ成分及びＹ成分は、配置向きが「０°」又は「１８０°」である場合の値である。つまり、頁データＩＤ「genko_01-01」で示される頁データＤは、配置向きが「０°」又は「１８０°」である場合に、座標ＤＯからＸ方向に２１５ｍｍ、Ｙ方向に３０５ｍｍに伸びる線を隣り合う２辺とする長方形となる。仮に、頁データＩＤ「genko_01-01」で示される頁データＤの配置向きが「９０°」又は「２７０°」である場合には、この頁データＤは、座標ＤＯからＸ方向に３０５ｍｍ、Ｙ方向に２１５ｍｍに伸びる線を隣り合う２辺とする長方形となる。このように、頁データＤがいずれの向きに配置されるかによって、座標ＤＯからＸ方向及びＹ方向に伸びる線の長さが入れ替わる。なお、本実施形態では、頁データＤの配置向きを「９０°」刻みの４つの角度とするが、その他の角度を含めることとしてもよい。
【００２６】
仕上り線情報５１０は、レイアウト仕様情報Ｌに基づいて制御部１１により算出される情報である。図６に示すように、仕上り線情報５１０は、各頁データＤについて形成される仕上り線Ｍの仕上り線位置（用紙Ｐを所定の向きに向けた場合の左下隅を基準（原点ＰＯ）とした場合のＸ座標、Ｙ座標により表される位置）を示す仕上り線位置情報５１１と、縦（Ｙ成分）及び横（Ｘ成分）の寸法を示す仕上り線寸法情報５１２と、を含んで構成される。
【００２７】
仕上り線位置情報５１１は、レイアウト仕様情報Ｌの位置情報５０３及び塗り足し寸法情報５０６に基づいて算出される。本実施形態では、用紙Ｐ及び頁データＤの左下隅をそれぞれの位置合わせの基準としていることから、図４に示すように、仕上り線Ｍの位置合わせの基準となる点ＭＯは、頁データＤの位置合わせの基準となる点ＤＯから、Ｘ軸方向及びＹ軸方向にそれぞれ塗り足しＮの分だけ移動した点となる。したがって、点ＭＯのＸ座標は、位置情報５０３の示すＸ座標に、塗り足し寸法情報５０６の示す値を加算した位置となる。同様に、点ＭＯのＹ座標は、位置情報５０３の示すＹ座標に、塗り足し寸法情報５０６の示す値を加算した位置となる。
【００２８】
仕上り線寸法情報５１２は、レイアウト仕様情報Ｌの寸法情報５０４及び塗り足し寸法情報５０６に基づいて算出される。図４に示すように、仕上り線Ｍの縦及び横の寸法は、頁データＤの縦及び横の寸法から、塗り足し寸法情報５０６の示す値をそれぞれ減算した値となる。
【００２９】
このように、仕上り線位置情報５１１及び仕上り線寸法情報５１２は、レイアウト仕様情報Ｌの位置情報５０３、寸法情報５０４及び塗り足し寸法情報５０６から算出することができる。
【００３０】
インターフェース部１３は他の装置や機器との間で送受信されるデータの窓口の役割を果たす。
【００３１】
表示部１４は、例えば、液晶ディスプレイ等により構成されており、オペレータが面付け装置１を操作する際の操作画面等を表示する。また、操作部１５は、例えば、キーボードやマウス等により構成されており、オペレータの操作を受け付け、操作内容を示す操作信号を制御部１１に送信する。
【００３２】
制御部１１は、演算機能を有するＣＰＵ（Central Processing Unit）、ＲＯＭ（Read Only Memory）、作業用のＲＡＭ（Random Access Memory）、及び図示しない発振回路等を備えて構成される。制御部１１は、操作部１５から受信した操作信号に基づいてオペレータの操作内容に応じた処理を実行したり、作業端末２から受信した操作信号に基づいて作業者の操作内容に応じた処理を実行したりする。
【００３３】
［３．面付けテンプレート作成システムＳによる面付けテンプレート出力処理］
次に、図７のフローチャートを用いて、面付けテンプレート作成システムＳによる面付けテンプレート出力処理について説明する。面付けテンプレート出力処理は、作業者が作業端末２の表示部に表示される面付けテンプレート出力画面６００（図８参照）における出力ボタン６０２が選択されることにより開始される。なお、図８に示すように、面付けテンプレート出力画面６００には、作業者が仕上り線描画オプションを選択するためのチェックボックス６０１が設けられており、チェックボックス６０１にチェックが入れられた状態で出力ボタン６０２が選択されると、仕上り線Ｍを含む面付けテンプレートが出力される。
【００３４】
まず、面付けテンプレート作成システムＳの面付け装置１は、出力ボタン６０２が選択された際に、チェックボックス６０１にチェックが入れられていたか否かを判定する（ステップＳ１）。チェックボックス６０１にチェックが入れられていた場合には（ステップＳ１：ＹＥＳ）、図９を用いて後述する面付け装置１による仕上り線作成処理が実行される（ステップＳ２）。仕上り線作成処理では、仕上り線画像ＭＰ及び仕上り線位置情報５１１が作成される。
【００３５】
次いで、面付け装置１は、レイアウト仕様情報Ｌ、ステップＳ２の処理で作成された仕上り線画像ＭＰ及び仕上り線位置情報５１１をＲＩＰ装置３に送信するとともに、作業端末２に記憶されている頁データＤをＲＩＰ装置３に送信するよう作業端末２に対して指示する（ステップＳ３）。ステップＳ３の処理によりＲＩＰ装置３には、頁データＤ、レイアウト仕様情報Ｌ、仕上り線画像ＭＰ及び仕上り線位置情報５１１が送信されることになる。
【００３６】
次いで、ＲＩＰ装置３は、レイアウト仕様情報Ｌ及び仕上り線位置情報５１１に基づいて、頁データＤ及び仕上り線画像ＭＰを配置・合成した面付けテンプレート（仕上り線有り）を作成する（ステップＳ４）。次いで、ＲＩＰ装置３は、ステップＳ４の処理で作成した面付けテンプレート（仕上り線有り）を作業端末２に送信する（ステップＳ７）。
【００３７】
一方、面付け装置１は、チェックボックス６０１にチェックが入れられていなかった場合には（ステップＳ１：ＮＯ）、レイアウト仕様情報ＬをＲＩＰ装置３に送信するとともに、作業端末２に記憶されている頁データＤをＲＩＰ装置３に送信するよう作業端末２に対して指示する（ステップＳ５）。ステップＳ５の処理によりＲＩＰ装置３には、頁データＤ及びレイアウト仕様情報Ｌが送信されることになる。
【００３８】
次いで、ＲＩＰ装置３は、レイアウト仕様情報Ｌに基づいて頁データＤを配置した面付けテンプレート（仕上り線無し）を作成する（ステップＳ６）。次いで、ＲＩＰ装置３は、ステップＳ６の処理で作成した面付けテンプレート（仕上り線無し）を作業端末２に送信する（ステップＳ７）。
【００３９】
［４．面付け装置１による仕上り線作成処理］
次に、図９のフローチャートを用いて、面付け装置１による仕上り線作成処理について説明する。
【００４０】
まず、面付け装置１の制御部１１は、レイアウト仕様情報Ｌの位置情報５０３と塗り足し寸法情報５０６に基づいて、各頁データＤの仕上り線位置情報５１１を算出する（ステップＳ２１）。
【００４１】
次いで、制御部１１は、レイアウト仕様情報Ｌの寸法情報５０４と配置向き情報５０５と塗り足し寸法情報５０６に基づいて、各頁データＤの仕上り線寸法情報５１２を算出する（ステップＳ２２）。
【００４２】
ここで、仕上り線寸法情報５１２の算出方法について、以下の２つのケースを想定して具体的に説明する。
【００４３】
（ケース１）
寸法情報５０４のＸ成分：２１５
寸法情報５０４のＹ成分：３０５
配置向き情報５０５：０°
塗り足し寸法情報５０６：５
【００４４】
ケース１では、配置向き情報５０５の示す角度が「０°」なので、寸法情報５０４のＸ成分「２１５」から塗り足し寸法情報の示す塗り足しＮ「５」を減算することにより、仕上り線寸法情報５１２のＸ成分「２１０」が算出される。同様に、寸法情報５０４のＹ成分「３０５」から塗り足し寸法情報の示す塗り足しＮ「５」を減算することにより、仕上り線寸法情報５１２のＹ成分「３００」が算出される。
【００４５】
（ケース２）
寸法情報５０４のＸ成分：２１５
寸法情報５０４のＹ成分：３０５
配置向き情報５０５：９０°
塗り足し寸法情報５０６：５
【００４６】
ケース２では、配置向き情報５０５の示す角度が「９０°」なので、寸法情報５０４のＹ成分「３０５」から塗り足し寸法情報の示す塗り足しＮ「５」を減算することにより、仕上り線寸法情報５１２のＸ成分「３００」が算出される。同様に、寸法情報５０４のＸ成分「２１５」から塗り足し寸法情報の示す塗り足しＮ「５」を減算することにより、仕上り線寸法情報５１２のＹ成分「２１０」が算出される。
【００４７】
次に、制御部１１は、ステップＳ２２の処理で算出した仕上り線寸法情報５１２に基づいて、各頁データの仕上り線画像ＭＰを作成する（ステップＳ２３）。
【００４８】
以上説明したように、本実施形態における面付け装置１は、用紙Ｐ（「被印刷物」の一例）に頁データＤを配置した際に頁データＤの塗り足しＮの分だけ内側に配置される仕上り線Ｍを表す仕上り線画像ＭＰを作成する装置であって、制御部１１（「仕上り線寸法算出手段」、「仕上り線画像作成手段」の一例）が、頁データＤの縦と横の寸法を示す寸法情報５０４と、頁データＤが用紙Ｐに配置される際の向きを示す配置向き情報５０５と、塗り足しＮの寸法を示す塗り足し寸法情報５０６に基づいて、仕上り線Ｍの縦と横の寸法を算出し、当該算出された仕上り線Ｍの縦と横の寸法に基づいて、仕上り線画像ＭＰを作成する。
【００４９】
本実施形態の面付け装置１によれば、頁データＤの縦と横の寸法を示す寸法情報５０４と、頁データＤが用紙Ｐに配置される際の向きを示す配置向き情報５０５と、塗り足しＮの寸法を示す塗り足し寸法情報５０６に基づいて、仕上り線画像ＭＰを作成することができる。また、仕上り線画像ＭＰを、頁データＤを表す画像と適切に合成することにより頁データＤ内に配置される仕上り線Ｍを形成することができ、仕上り線Ｍを引くための作業者の作業負担を軽減することができる
【００５０】
また、制御部１１は、配置向き情報５０６の示す向きが９０°又は２７０°である場合には、頁データＤの縦の寸法から塗り足しＮの寸法を減算することにより仕上り線Ｍの横の寸法を算出し、頁データＤの横の寸法から塗り足しＤの寸法を減算することにより仕上り線Ｍの縦の寸法を算出する。これにより、頁データＤが用紙Ｐに対して横向きに配置された場合にも、適切に仕上り線画像ＭＰを作成することができる。
【００５１】
更に、制御部１１は、配置向き情報５０６の示す向きが０°又は１８０°である場合には、頁データＤの縦の寸法から塗り足しＮの寸法を減算することにより仕上り線Ｍの縦の寸法を算出し、頁データＤの横の寸法から塗り足しＤの寸法を減算することにより仕上り線Ｍの横の寸法を算出する。これにより、頁データＤが用紙Ｐに対してそのままの向き或いは逆さに配置された場合にも、適切に仕上り線画像ＭＰを作成することができる。
【００５２】
更にまた、制御部１１（「仕上り線位置情報算出手段」の一例）は、用紙Ｐにおける頁データＤの配置位置を示す位置情報５０３と、塗り足し寸法情報５０６に基づいて、用紙Ｐにおける仕上り線Ｍの配置位置を示す仕上り線位置情報５１１を算出する。これにより、仕上り線位置情報５１１に基づいて、仕上り線画像ＭＰを、頁データＤを表す画像と適切に（すなわち、頁データＤ内の適切な位置に仕上り線Ｍが配置されるように）合成することができる。
【符号の説明】
【００５３】
Ｓ  面付けテンプレート作成システム
１  面付け装置
１１  制御部
１２  記憶部
１３  インターフェース部
１４  表示部
１５  操作部
２  作業端末
３  ＲＩＰ装置
Ｐ  用紙
Ｄ  頁データ
Ｍ  仕上り線
【図２】
2014172291.tif 000003
【図３】
2014172291.tif 000004
【図５】
2014172291.tif 000005
【図６】
2014172291.tif 000006
【図７】
2014172291.tif 000007
【図９】
2014172291.tif 000008
【図１】
2014172291.tif 000009
【図４】
2014172291.tif 000010
【図８】
2014172291.tif 000011